(57)【要約】【課題】本発明は、ずれ力が長時間にわたって繰り返し掛かるような場合でも、着用者に不快感を生じさせにくく、褥瘡等の皮膚疾患の発生や悪化を引き起こしにくくすることのできる吸収性物品を提供するものである。【解決手段】本発明の吸収性物品は、液透過性の表面シート（２１）を有する主要部（２）と、少なくとも後方領域（ＡＢ）において表面シート（２１）よりも肌対向面側に位置し且つ主要部（２）に対して部分的に接合されたカバーシート（３）と、を含み、  カバーシート（３）は、少なくとも長手方向に伸長可能な伸長領域（３２）を有するとともに、伸長領域（３２）において長手方向に延在する１又は複数の強度保持部（３１）を有している。【選択図】図１
2019005294.tif 000002
【特許請求の範囲】
【請求項１】
長手方向、幅方向及び厚さ方向を有するとともに、前記長手方向において、前方領域と、後方領域と、これら両領域の間に位置する中央領域とを有する吸収性物品であって、
前記吸収性物品は、液透過性の表面シートを有する主要部と、少なくとも前記後方領域において前記表面シートよりも肌対向面側に位置し且つ前記主要部に対して部分的に接合されたカバーシートと、を含み、
前記カバーシートは、少なくとも前記長手方向に伸長可能な伸長領域を有するとともに、前記伸長領域において前記長手方向に延在する１又は複数の強度保持部を有する、前記吸収性物品。
【請求項２】
前記カバーシートは、前記幅方向の両端部の各々に、前記長手方向に延在する側方側非伸長領域を有するとともに、当該側方側非伸長領域において前記主要部に接合されている、請求項１に記載の吸収性物品。
【請求項３】
前記伸長領域は、前記幅方向の両端部のうちの少なくとも一方の端部において、前記強度保持部と前記幅方向に隣接する端部側伸長部を含み、
前記端部側伸長部は、前記厚さ方向において肌対向面側に突出し且つ前記幅方向に連続的に延びる凸条部と、前記厚さ方向において非肌対向面側に窪み且つ前記幅方向に連続的に延びる凹溝部とが、前記長手方向において交互に繰り返すように配置された凹凸構造を有しており、
さらに、前記凸条部は、幅方向長さが長く且つ前記伸長領域の幅方向端縁に接する第１凸条部と、幅方向長さが短く且つ前記伸長領域の前記幅方向端縁に接しない第２凸条部とを有し、
前記カバーシートは、平面視にて、前記第１凸条部の幅方向外方側の端部と重複し且つ前記第２凸条部とは重複しない領域において、前記主要部に接合されている、
請求項１又は２に記載の吸収性物品。
【請求項４】
前記端部側伸長部は、前記第１凸条部と前記第２凸条部とが、前記凹溝部を介して、前記長手方向において交互に繰り返すように配置されている、請求項３に記載の吸収性物品。
【請求項５】
前記強度保持部は、前記伸長領域の前記長手方向における前方側端縁から後方側端縁まで延在している、請求項１〜４のいずれか一項に記載の吸収性物品。
【請求項６】
前記吸収性物品は、前記厚さ方向において、前記表面シート及び前記カバーシートの間に位置する低摩擦部材を更に含み、
前記カバーシートは、平面視にて、前記低摩擦部材の前記長手方向における前方側端縁よりも前方側に位置し且つ前記幅方向に延在する前方側非伸長領域を有する、請求項１〜５のいずれか一項に記載の吸収性物品。
【請求項７】
前記吸収性物品は、前記カバーシートの前記幅方向における両端部の各々と前記厚さ方向に重複し、且つ前記カバーシートと前記主要部とを接合する一対の側方側接合部を有しており、
さらに、前記一対の側方側接合部の各々は、前記幅方向の外方側に位置し且つ前記長手方向に延在する第１接合部と、前記幅方向の内方側に位置し且つ前記長手方向に延在する第２接合部と、を有し、
前記第１接合部の前方側端縁は、前記カバーシートの前方側端縁と前記厚さ方向に重複する一方、前記第２接合部の前方側端縁は、前記カバーシートの前方側端縁よりも後方側に位置している、請求項１〜６のいずれか一項に記載の吸収性物品。
【請求項８】
前記主要部は、前記幅方向の両端部において前記長手方向に延在し且つ前記表面シートの肌対向面側に位置する一対のサイドシートを更に含み、
さらに、前記一対のサイドシートの各々と前記カバーシートの前記幅方向における両端部は、前記一対の側方側接合部によってそれぞれ接合されている一方、
前記一対のサイドシートの各々と前記表面シートの前記幅方向における両端部は、前記一対の側方側接合部よりもそれぞれ前記幅方向の外方側に所定距離離れた外方側接合部によってそれぞれ接合されている、請求項７に記載の吸収性物品。
【請求項９】
前記カバーシートは、前記幅方向に延在する後方側端部において、当該後方側端部を前記幅方向に３等分する幅方向第１領域、幅方向中央領域及び幅方向第２領域を有し、
前記カバーシートは、前記幅方向第１領域及び前記幅方向第２領域において、前記表面シートに接合されている一方、前記幅方向中央領域においては、前記表面シートに接合されていない又は一部のみが前記表面シートに接合されている、請求項１〜８のいずれか一項に記載の吸収性物品。
【請求項１０】
前記吸収性物品は、該吸収性物品を前記幅方向に折り畳むための前記長手方向に延びる折り線を少なくとも１本有しており、前記強度保持部は、前記折り線と重複している、請求項１〜９のいずれか一項に記載の吸収性物品。
【請求項１１】
前記主要部は、前記表面シートの非肌対向面側において、前記前方領域から前記後方領域まで延在する吸収体と、前記吸収体の肌対向面側において、前記吸収性物品の長手方向の中央に位置し且つ前記幅方向に延びる長手方向中央軸線よりも後方側に位置するとともに、前記カバーシートの前記長手方向の前方側端縁を前記長手方向に跨ぐように延在する吸収性シートと、を更に備えている、請求項１〜１０のいずれか一項に記載の吸収性物品。
【発明の詳細な説明】
【技術分野】
【０００１】
本発明は、尿取りパッドや使い捨ておむつ等の吸収性物品に関し、特に、着用者の皮膚に褥瘡やかぶれ等の皮膚疾患が生じにくい吸収性物品に関する。
【背景技術】
【０００２】
近年、尿取りパッドや使い捨ておむつ等の吸収性物品においては、着用者の皮膚に生じる褥瘡やかぶれ（皮膚炎）等の皮膚疾患を改善するための方策が、種々検討されている。
【０００３】
そのような吸収性物品として、例えば、特許文献１には、外面シート、外面シートの身体側に設けられた吸収体、吸収体の身体側に設けられた内面シート、該パッドの左側部に設けられた左サイドシート、該パッドの右側部に設けられた右サイドシート、臀部領域に設けられたオーバーラップシート、及び該オーバーラップシートと内面シートの間に設けられた低摩擦部材を含み、オーバーラップシートの右側縁及び左側縁がそれぞれ右サイドシートの左側部及び左サイドシートの右側部に接合された、褥瘡予防機能付き使い捨て尿取りパッドが開示されている。この特許文献１に開示された使い捨て尿取りパッドは、安価に製造することができるとともに、オーバーラップシートが内面シートに対して相対的に前後方向に動きやすいので、褥瘡の発生や悪化を予防する機能を有するとされている。
さらに、この特許文献１には、上述のオーバーラップシートとして、少なくとも尿取りパッドの前後方向に伸縮し得るシートを用いることも開示されており、このような伸縮し得るシートを用いることにより、ベッドを起こしたときや車椅子利用中に着用者の臀部が前方にずれた場合にも、オーバーラップシートが臀部とともに移動することができるので、褥瘡の発生や悪化を予防することができるとされている。
【先行技術文献】
【特許文献】
【０００４】
【特許文献１】特開２０１４−１５５６０９号公報
【発明の概要】
【発明が解決しようとする課題】
【０００５】
しかしながら、尿取りパッドのような吸収性物品は、ベッドを起こしたときや車椅子を利用するとき、就寝中に寝返りをうつとき等に生じる着用者の様々な体位変化に対応しながら、長時間にわたって使用されるものであるため、特許文献１に開示された尿取りパッドのように、オーバーラップシート（カバーシート）として伸縮し得るシートを用いただけでは、上述の着用者の体位変化等により着用者の臀部が前後方向にずれるように移動する状況が繰り返し生じた場合に、着用者の体圧が掛かった状態で吸収性物品の長手方向の後方側に向かって掛かる力（ずれ力）によって、カバーシートの伸縮性を有する部分（一般に、このような伸縮性を有する部分は、伸縮性を発現する構造が付与されていることによって、強度が低下している。）が、複数の皺が寄り集まって長手方向に縮まった状態になる上、その状態が繰り返し掛かるずれ力によって維持されてしまい、元の状態に復元しにくくなるため、カバーシートの所期の機能（すなわち、カバーシートが着用者の臀部の動きに合わせて移動して、着用者の肌に摩擦やずれ力による物理的刺激を与えにくくするという機能）が十分に発揮されず、結果的に、着用者に不快感を生じさせたり、着用者の臀部付近（具体的には、仙骨付近）に褥瘡等の皮膚疾患の発生や悪化を引き起こしたりする虞があった。
【０００６】
そこで、本発明は、ずれ力が長時間にわたって繰り返し掛かるような場合でも、着用者に不快感を生じさせにくく、褥瘡等の皮膚疾患の発生や悪化を引き起こしにくくすることのできる吸収性物品を提供することを目的とする。
【課題を解決するための手段】
【０００７】
本発明の一態様（態様１）は、長手方向、幅方向及び厚さ方向を有するとともに、前記長手方向において、前方領域と、後方領域と、これら両領域の間に位置する中央領域とを有する吸収性物品であって、前記吸収性物品は、液透過性の表面シートを有する主要部と、少なくとも前記後方領域において前記表面シートよりも肌対向面側に位置し且つ前記主要部に対して部分的に接合されたカバーシートと、を含み、前記カバーシートは、少なくとも前記長手方向に伸長可能な伸長領域を有するとともに、前記伸長領域において前記長手方向に延在する１又は複数の強度保持部を有する、前記吸収性物品である。
【０００８】
本態様１の吸収性物品は、カバーシートの伸長領域において、長手方向に延在する１又は複数の強度保持部を有しているため、吸収性物品に長手方向のずれ力が掛かった場合に、カバーシートの伸長領域が、複数の皺が寄り集まって長手方向に縮まった状態になりにくい上、仮に、ずれ力が長時間にわたって繰り返し掛かることにより、カバーシートの伸長領域が一時的に上述の長手方向に縮まった状態になった場合でも、強度保持部が有する強度（剛性）によって元の状態に復元しやすくなっている。
したがって、本態様の吸収性物品は、ずれ力が単発的に掛かる場合はもとより、ずれ力が長時間にわたって繰り返し掛かるような場合でも、カバーシートの所期の機能（すなわち、カバーシートが着用者の臀部の動きに合わせて移動ないし伸長して、着用者の肌に摩擦やずれ力による物理的刺激を与えにくくするという機能）を十分に発揮することができ、結果的に、着用者に不快感を生じさせにくく、褥瘡等の皮膚疾患の発生や悪化も引き起こしにくくすることができる。
【０００９】
なお、本明細書において、吸収性物品が吸収する対象の「排泄液」は、後述する吸収体に吸収及び保持され得るものであれば特に制限されず、例えば、尿や汗、血液などの液状物のほか、軟便等の低粘度物なども含む。
【００１０】
また、本発明の別の態様（態様２）では、上記態様１の吸収性物品において、前記カバーシートは、前記幅方向の両端部の各々に、前記長手方向に延在する側方側非伸長領域を有するとともに、当該側方側非伸長領域において前記主要部に接合されている。
【００１１】
本態様２の吸収性物品は、長手方向にずれ力が掛かった場合に応力の集中しやすい、カバーシートと主要部との接合部の周辺部分において、カバーシートが非伸長領域によって形成されていて、一定の強度が確保されているため、ずれ力が長時間にわたって繰り返し掛かるような場合でも、カバーシートに破れが生じにくく、上述のカバーシートの機能をより安定的に発揮することができる。その結果、本態様の吸収性物品は、上述の作用効果（すなわち、着用者に不快感を生じさせにくく、褥瘡等の皮膚疾患の発生や悪化も引き起こしにくくすることができるという作用効果）を、より長時間にわたって、より安定的に奏することができる。
【００１２】
また、本発明の別の態様（態様３）では、上記態様１又は２の吸収性物品において、前記伸長領域は、前記幅方向の両端部のうちの少なくとも一方の端部において、前記強度保持部と前記幅方向に隣接する端部側伸長部を含み、前記端部側伸長部は、前記厚さ方向において肌対向面側に突出し且つ前記幅方向に連続的に延びる凸条部と、前記厚さ方向において非肌対向面側に窪み且つ前記幅方向に連続的に延びる凹溝部とが、前記長手方向において交互に繰り返すように配置された凹凸構造を有しており、さらに、前記凸条部は、幅方向長さが長く且つ前記伸長領域の幅方向端縁に接する第１凸条部と、幅方向長さが短く且つ前記伸長領域の前記幅方向端縁に接しない第２凸条部とを有し、前記カバーシートは、平面視にて、前記第１凸条部の幅方向外方側の端部と重複し且つ前記第２凸条部とは重複しない領域において、前記主要部に接合されている。
【００１３】
本態様３の吸収性物品は、カバーシートの伸長領域が上記特定の凹凸構造を有し、且つ、カバーシートが上記特定の凹凸構造の一部（すなわち、第１凸条部の幅方向外方側の端部）を含む特定の領域において主要部と接合しているため、上述の第１凸条部により、カバーシートの伸長領域を幅方向に可及的に広く確保しつつも、上述の第２凸条部の幅方向外方側の端部と接合部との間の部分（後述する非賦形部）により、吸収性物品の長手方向にずれ力が掛かった場合に応力の集中しやすいカバーシートと主要部との接合部の周辺部分において、一定の強度を確保することができるため、ずれ力が長時間にわたって繰り返し掛かるような場合でも、カバーシートに破れが生じにくく、上述のカバーシートの機能をより確実に且つ安定的に発揮することができる。
【００１４】
本発明の更に別の態様（態様４）では、上記態様３の吸収性物品において、前記端部側伸長部は、前記第１凸条部と前記第２凸条部とが、前記凹溝部を介して、前記長手方向において交互に繰り返すように配置されている。
【００１５】
本態様４の吸収性物品は、上述のカバーシートの端部側伸長部において、第１凸条部と第２凸条部とが、凹溝部を介して、長手方向において交互に繰り返すように配置されているため、上述の第２凸条部の幅方向外方側の端部と接合部との間の部分（すなわち、吸収性物品の長手方向にずれ力が掛かった場合に応力の集中しやすいカバーシートと主要部との接合部の周辺部分において、一定の強度を確保することができる部分）が、カバーシートの長手方向に沿って一定間隔おきに形成され、上述のずれ力に抗する強度を、カバーシートの長手方向に沿ってより一層安定的に確保することができる。
【００１６】
本発明の更に別の態様（態様５）では、上記態様１〜４のいずれかの吸収性物品において、前記強度保持部は、前記伸長領域の前記長手方向における前方側端縁から後方側端縁まで延在している。
【００１７】
本態様５の吸収性物品は、カバーシートの強度保持部が伸長領域の長手方向における前方側端縁から後方側端縁まで延在しているため、上述の強度保持部の機能（すなわち、吸収性物品に長手方向のずれ力が掛かった場合に、カバーシートの伸長領域を、複数の皺が寄り集まって長手方向に縮まった状態になりにくくし、仮に、ずれ力が長時間にわたって繰り返し掛かることにより、カバーシートの伸長領域が上述の長手方向に縮まった状態になった場合でも、元の状態に復元しやすくするという機能）を、伸長領域における長手方向の全域にわたって発揮することができる。
【００１８】
本発明の更に別の態様（態様６）では、上記態様１〜５のいずれかの吸収性物品において、前記吸収性物品は、前記厚さ方向において、前記表面シート及び前記カバーシートの間に位置する低摩擦部材を更に含み、前記カバーシートは、平面視にて、前記低摩擦部材の前記長手方向における前方側端縁よりも前方側に位置し且つ前記幅方向に延在する前方側非伸長領域を有する。
【００１９】
本態様６の吸収性物品は、表面シート及びカバーシートの間に位置する（すなわち、カバーシートの非肌対向面側に位置する）低摩擦部材を更に含んでいるため、当該低摩擦部材が介在することでカバーシートと表面シートとの間の摩擦抵抗が低減し、カバーシートが着用者の臀部の動きに合わせてより円滑に移動ないし伸長することができ、結果的に、上述のカバーシートの機能をより効果的且つ確実に発揮することができる。
さらに、本態様の吸収性物品は、カバーシートが低摩擦部材と厚さ方向に重複する部分よりも前方側の部分に、幅方向に延在する非伸長領域（前方側非伸長領域）を有しているため、カバーシートの前方側の部分に上述のずれ力に抗する一定の強度を確保することができ、カバーシートが上述のように長手方向に縮まったり、破れたりするようなことが、より一層生じにくくなっている。
【００２０】
本発明の更に別の態様（態様７）では、上記態様１〜６のいずれかの吸収性物品において、当該吸収性物品は、前記カバーシートの前記幅方向における両端部の各々と前記厚さ方向に重複し、且つ前記カバーシートと前記主要部とを接合する一対の側方側接合部を有しており、さらに、前記一対の側方側接合部の各々は、前記幅方向の外方側に位置し且つ前記長手方向に延在する第１接合部と、前記幅方向の内方側に位置し且つ前記長手方向に延在する第２接合部と、を有し、前記第１接合部の前方側端縁は、前記カバーシートの前方側端縁と前記厚さ方向に重複する一方、前記第２接合部の前方側端縁は、前記カバーシートの前方側端縁よりも後方側に位置している。
【００２１】
本態様７の吸収性物品は、カバーシートが上記特定の形態の一対の側方側接合部によって主要部に接合されているため、当該カバーシートにおいて、吸収性物品の長手方向にずれ力が掛かった場合に応力の最も集中しやすい部分である第２接合部の前方側部分が主要部に接合されていないことによって、当該前方側部分に掛かる応力を逃がし（他の部分に分散し）、カバーシートをより一層破れにくくすることができ、さらに、上述の第２接合部よりも幅方向の外方側に位置する第１接合部によって、カバーシートをより着実に主要部に固定することができる。これにより、本態様の吸収性物品は、上述のカバーシートの機能をより長時間にわたって安定的に発揮することができる。
【００２２】
本発明の更に別の態様（態様８）では、上記態様７の吸収性物品において、前記主要部は、前記幅方向の両端部において前記長手方向に延在し且つ前記表面シートの肌対向面側に位置する一対のサイドシートを更に含み、さらに、前記一対のサイドシートの各々と前記カバーシートの前記幅方向における両端部は、前記一対の側方側接合部によってそれぞれ接合されている一方、前記一対のサイドシートの各々と前記表面シートの前記幅方向における両端部は、前記一対の側方側接合部よりもそれぞれ前記幅方向の外方側に所定距離離れた外方側接合部によってそれぞれ接合されている。
【００２３】
本態様８の吸収性物品は、一対のサイドシートの各々が、カバーシートと、表面シートとに接合されていて、且つ、一対のサイドシートの各々とカバーシートとの接合部である側方側接合部と、一対のサイドシートの各々と表面シートとの接合部である外方側接合部とが、相互に離間しているため、その離間した部分（すなわち、側方側接合部と外方側接合部との間の部分）が存在することによってカバーシートの長手方向への移動ないし伸長を許容し得る領域（以下、「カバーシートの動き代」ということがある。）を確保しつつ、カバーシートを、一対のサイドシートが起立する際に表面シートから浮かび上がるように変位させることができる。これにより、本態様の吸収性物品は、上述のずれ力が掛かるような場合でも、当該ずれ力を上述の一対のサイドシートの側方側接合部と外方側接合部との間の部分で緩和しながら、カバーシートを円滑且つ確実に、着用者の臀部の動きに合わせて移動ないし伸長させることができる。
【００２４】
本発明の更に別の態様（態様９）では、上記態様１〜８のいずれかの吸収性物品において、前記カバーシートは、前記幅方向に延在する後方側端部において、当該後方側端部を前記幅方向に３等分する幅方向第１領域、幅方向中央領域及び幅方向第２領域を有し、前記カバーシートは、前記幅方向第１領域及び前記幅方向第２領域において、前記表面シートに接合されている一方、前記幅方向中央領域においては、前記表面シートに接合されていない又は一部のみが前記表面シートに接合されている。
【００２５】
本態様９の吸収性物品は、カバーシートの後方側端部が上記特定の形態で表面シートに接合されているため、上記幅方向中央領域においてカバーシートの動き代を十分に確保しつつ、上記幅方向第１領域及び幅方向第２領域において、カバーシートが長手方向に過度に移動ないし伸長しないようにカバーシートの動きを所定の範囲内に規制することができる。これにより、本態様の吸収性物品は、カバーシートが過度に移動ないし伸長することによって生じ得る、復元の難しい状態（例えば、皺が強く寄った状態等）を形成しにくくなり、当該カバーシートの機能をより確実に発揮することができる。
【００２６】
本発明の更に別の態様（態様１０）では、上記態様１〜９のいずれかの吸収性物品において、前記吸収性物品は、該吸収性物品を前記幅方向に折り畳むための前記長手方向に延びる折り線を少なくとも１本有しており、前記強度保持部は、前記折り線と重複している。
【００２７】
本態様１０の吸収性物品は、カバーシートの強度保持部が吸収性物品を幅方向に折り畳むための折り線と重複しているため、上述の強度保持部に長手方向に延びる折り癖が付与されて、カバーシートを皺の寄った状態に更になりにくくすることができる。
【００２８】
本発明の更に別の態様（態様１１）では、上記態様１〜１０のいずれかの吸収性物品において、前記主要部は、前記表面シートの非肌対向面側において、前記前方領域から前記後方領域まで延在する吸収体と、前記吸収体の肌対向面側において、前記吸収性物品の長手方向の中央に位置し且つ前記幅方向に延びる長手方向中央軸線よりも後方側に位置するとともに、前記カバーシートの前記長手方向の前方側端縁を前記長手方向に跨ぐように延在する吸収性シートと、を更に備えている。
【００２９】
本態様１１の吸収性物品は、吸収体のほかに上記特定の位置に配置された吸収性シートを更に備えているため、着用者から排泄液が繰り返し供給されるような場合でも、吸収性物品の長手方向の後方側に向かって流れる排泄液を、吸収体及び吸収性シートによって段階的に吸収することができる。これにより、本態様の吸収性物品は、着用者の臀部が排泄液によって濡れにくく、さらに、カバーシートが排泄液によって湿潤して、強度が低下するのを防ぐことができるため、上述の作用効果をより長時間にわたって発揮することができる。
【発明の効果】
【００３０】
本発明によれば、ずれ力が長時間にわたって繰り返し掛かるような場合でも、着用者に不快感を生じさせにくく、褥瘡等の皮膚疾患の発生や悪化を引き起こしにくくすることのできる吸収性物品を提供することができる。
【図面の簡単な説明】
【００３１】
【図１】図１は、本発明の一実施形態に係る尿取りパッドを、展開した状態で表面シート側から厚さ方向に見た平面図である。
【図２】図２は、本発明の一実施形態に係る尿取りパッドにおける図１のII−II線に沿った断面の断面図である。
【図３】図３は、本発明の一実施形態に係る尿取りパッドにおける図１のIII−III線に沿った断面の断面図である。
【図４】図４は、本発明の一実施形態に係る尿取りパッドに用いられているカバーシートの平面図である。
【図５】図５は、図４に示すカバーシートの要部拡大平面図である。
【図６】図６は、図５に示すカバーシートのVI−VI線に沿った断面の断面図である。
【図７】図７は、図５に示すカバーシートのVII−VII線に沿った断面の断面図である。
【図８】図８は、カバーシートの変形例の平面図である。
【図９】図９（ａ）は、本発明の一実施形態に係る尿取りパッドを着用者が着用した直後の状態（ずれ力が掛かっていない状態）を模式的に示す説明図であり、図９（ｂ）は、その状態から尿取りパッドにずれ力が掛かった状態を模式的に示す説明図である。
【発明を実施するための形態】
【００３２】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、表面シート、カバーシート、吸収体、低摩擦部材等）を、垂直方向の上方側（対象物が吸収性物品の場合は表面シート側）から対象物の厚さ方向に見ること」を、単に「平面視」という。
【００３３】
本明細書において用いられる各種方向等については、特に断りのない限り、以下のとおりである。
本明細書において、「長手方向」は、「平面視における縦長の対象物（例えば、吸収性物品、吸収体等）の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。また、本明細書において、「面方向」は、「平面視における略シート状の対象物（例えば、吸収性物品、表面シート、吸収体、低摩擦部材、カバーシート等）の平面が延びる方向（すなわち、水平面方向）」を指し、当該面方向と厚さ方向とは、互いに直交する関係にある。
さらに、本明細書では、「縦長の対象物の長手方向において、該対象物の長手方向の中央に位置し且つ幅方向に延びる長手方向中央軸線ＣＷに対して相対的に近位側」を「長手方向の内方側」又は「長手方向内方側」といい、「縦長の対象物の長手方向において、前記長手方向中央軸線ＣＷに対して相対的に遠位側」を「長手方向の外方側」又は「長手方向外方側」という。同様に、「縦長の対象物の幅方向において、該対象物の幅方向の中央に位置し且つ長手方向に延びる幅方向中央軸線ＣＬに対して相対的に近位側」を「幅方向の内方側」又は「幅方向内方側」といい、「縦長の対象物の幅方向において、前記幅方向中央軸線ＣＬに対して相対的に遠位側」を「幅方向の外方側」又は「幅方向外方側」という。
また、本明細書では、特に断りのない限り、吸収性物品の厚さ方向において、「吸収性物品の着用時に、着用者の肌面に対して相対的に近位側」を「肌対向面側」といい、「吸収性物品の着用時に、着用者の肌面に対して相対的に遠位側」を「非肌対向面側」という。ここで、「着用時」とは、着用者が吸収性物品を着用した時点（すなわち、使用可能な状態を形成した時点）から、その状態を維持している間（着用している間）を意味する。
なお、本明細書においては、吸収性物品を構成する各種部材（例えば、表面シート、吸収体、低摩擦部材、カバーシート等）の「肌対向面側の表面」及び「非肌対向面側の表面」を、それぞれ単に「肌対向面」及び「非肌対向面」ということがある。
【００３４】
図１は、本発明の一実施形態に係る尿取りパッド１（吸収性物品）を、展開した状態で表面シート側から厚さ方向Ｔに見た平面図であり、図２及び図３は、それぞれ尿取りパッド１における図１のII−II線及びIII−III線に沿った断面の断面図である。また、図４は、尿取りパッド１に用いられているカバーシート３の平面図であり、図５は、図４に示すカバーシート３の要部拡大平面図である。さらに、図６及び図７は、それぞれカバーシート３における図５のVI−VI線及びVII−VII線に沿った断面の断面図である。
【００３５】
図１に示すように、本発明の一実施形態に係る尿取りパッド１は、平面視にて、長手方向Ｌ及び幅方向Ｗを有する縦長の外形形状を有し、さらに、長手方向Ｌの略中央部分が幅方向Ｗの内方側に向かって括れた略砂時計形の外形形状を有している。なお、本発明において、吸収性物品の外形形状は、このようなものに限定されず、長手方向Ｌの長さ寸法が幅方向Ｗの幅寸法よりも長い長形状のものであれば、各種用途等に応じた任意の形状（例えば、長方形、楕円形、瓢箪形など）を採用することができる。
【００３６】
本実施形態に係る尿取りパッド１は、図１に示すように、長手方向Ｌにおいて、着用時に着用者の腹部（より具体的には、下腹部）に対応する前方領域ＡＦと、着用時に着用者の股部（より具体的には、股間部）に対応する中央領域ＡＣと、着用時に着用者の背部（より具体的には、臀部）に対応する後方領域ＡＢと、をこの順で有している。なお、本明細書では、吸収性物品の長手方向において、「吸収性物品の着用時に着用者の腹部に対して相対的に近位側」を「前方側」といい、「吸収性物品の着用時に着用者の背部に対して相対的に近位側」を「後方側」という。
【００３７】
尿取りパッド１は、図２及び図３に示すように、厚さ方向Ｔにおいて、尿取りパッド１の肌対向面側Ｓ１に位置する液透過性の表面シート２１と、該表面シート２１の非肌対向面側Ｓ２に位置する吸液性の吸収体２２と、該吸収体２２の非肌対向面側Ｓ２に位置する裏面シート２３と、尿取りパッド１の幅方向Ｗの両端部において表面シート２１の肌対向面側Ｓ１に位置する一対のサイドシート（具体的には、幅方向Ｗにおける一方側の端部に配置されたサイドシート２４及び幅方向Ｗにおける他方側の端部に配置されたサイドシート２５）と、吸収体２２及び裏面シート２３の間に位置する液不透過性の防漏シート２６と、を含む主要部２と、さらに、後方領域ＡＢにおいて表面シート２１の肌対向面側Ｓ１に位置するシート状の低摩擦部材４と、後方領域ＡＢにおいて低摩擦部材４の肌対向面側Ｓ１に位置するカバーシート３と、吸収体２２の肌対向面側Ｓ１において長手方向中央軸線ＣＷよりも後方側ＳＢに位置し且つカバーシート３の前方側端縁３ＥＦを長手方向Ｌに跨ぐように延在する吸収性シート８と、を備えている。
なお、上述の一対のサイドシート２４、２５は、図１及び図２に示すように、尿取りパッド１の着用時に幅方向Ｗの内方側におけるそれぞれの端部（すなわち、サイドシート２４の幅方向内方側端部２４Ｒと、サイドシート２５の幅方向内方側端部２５Ｌ）が該端部に設けられた糸ゴム等の弾性部材２７の収縮によって起立し、尿などの排泄液の漏洩を防止するための防漏壁部２８を形成することができる。
【００３８】
本実施形態に係る尿取りパッド１は、褥瘡やかぶれ等の皮膚疾患が生じやすい着用者の臀部に対応する後方領域ＡＢにおいて、表面シート２１の肌対向面側Ｓ１に位置する低摩擦部材４と、該低摩擦部材４の肌対向面側に位置し且つ主要部２に対して部分的に接合されたカバーシート３と、を含み、さらに、このカバーシート３は、図２に示すように、幅方向Ｗの両端部３ＥＬ、３ＥＲにおいて上述の主要部２の一対のサイドシート２４、２５とそれぞれ接合されており、当該一対のサイドシート２４、２５の起立に伴って、表面シート２１及び低摩擦部材４の肌対向面から浮き上がるように離間することができる。これにより、尿取りパッド１は、カバーシート３と表面シート２１との間が、低摩擦部材４の介在やカバーシート３の浮き上がりによって摩擦抵抗が小さくなっているため、カバーシート３が、表面シート２１に対して相対的に面方向に移動しやすくなっている。
【００３９】
そして、本実施形態においては、カバーシート３は、図１、図２、図４〜図７に示すように、長手方向Ｌに伸長可能な伸長領域３２を有するとともに、当該伸長領域３２において長手方向Ｌに延在する複数の強度保持部３１を有している。なお、本実施形態においては、図４に示すように、長手方向Ｌに延在し且つ幅方向Ｗに所定間隔をあけて配置された７つの強度保持部３１を有している。
さらに、伸長領域３２は、後述するように、尿取りパッド１の厚さ方向Ｔにおいて肌対向面側Ｓ１に向かって突出し且つ尿取りパッド１の幅方向Ｗに沿う方向に連続的に延びる凸条部３２Ａと、尿取りパッド１の厚さ方向Ｔにおいて非肌対向面側Ｓ２に向かって窪み且つ尿取りパッド１の幅方向Ｗに沿う方向に連続的に延びる凹溝部３２Ｂとが、尿取りパッド１の長手方向Ｌに沿って交互に繰り返すように配置された凹凸構造を有する伸長部を含み、かかる伸長部の凹凸構造は、カバーシート３の基材となる不織布に、ギア賦形加工によって形成されているため、相対的に強度が低くなっている。一方、強度保持部３１は、厚さ方向Ｔに圧縮されているか又はギア賦形加工等が施されていないため、カバーシート３の基材となる不織布の強度以上の強度（剛性）を有しており、上述の伸長部よりも相対的に強度が高くなっている。
ここで、図９（ａ）は、本実施形態に係る尿取りパッド１を着用者（不図示）が着用した直後の状態（ずれ力ＦＺが掛かっていない状態）を模式的に示す説明図であり、図９（ｂ）は、その状態から尿取りパッド１にずれ力ＦＺが掛かった状態を模式的に示す説明図である。
【００４０】
このように、本実施形態に係る尿取りパッド１は、カバーシート３が長手方向Ｌに伸長可能な伸長領域３２を有しているため、当該伸長領域３２が着用者の肌面の形状（身体形状）に追従して的確に密着することができる。これにより、尿取りパッド１は、着用者が着用中に動いたとしても、上述のカバーシート３が着用者の臀部の動きに合わせて、着用者の肌と共に精度よく面方向に移動ないし伸長することができるため、着用者の肌に対して摩擦やずれ力等による物理的刺激を与えにくくなっている。
さらに、この尿取りパッド１は、カバーシート３の伸長領域３２において、長手方向Ｌに延在する強度保持部３１を有しているため、尿取りパッド１に長手方向Ｌのずれ力が掛かった場合に、カバーシート３の伸長領域３２が、強度保持部３１によって、図９（ｂ）に示すような複数の皺ＷＲが寄り集まって長手方向Ｌに縮まった状態になりにくい上、仮に、ずれ力が長時間にわたって繰り返し掛かることにより、カバーシート３の伸長領域３２が上述の長手方向Ｌに縮まった状態になった場合でも、図９（ａ）に示すような元の状態に復元しやすくなっている。これにより、尿取りパッド１は、ずれ力が長時間にわたって繰り返し掛かるような場合でも、上述のカバーシート３の所期の機能（すなわち、カバーシート３が着用者の臀部の動きに合わせて移動ないし伸長して、着用者の肌に摩擦やずれ力による物理的刺激を与えにくくするという機能）を十分に発揮することができ、結果的に、着用者に不快感を生じさせにくく、褥瘡等の皮膚疾患の発生や悪化も引き起こしにくくすることができる。
【００４１】
以下、本発明の吸収性物品を構成する各種部材について、上述の実施形態に係る尿取りパッド１を用いて更に詳細に説明する。
【００４２】
＜主要部＞
上述の実施形態に係る尿取りパッド１において、主要部２は、図１〜図３に示すように、尿取りパッド１の肌対向面側Ｓ１に位置する液透過性の表面シート２１と、該表面シート２１の非肌対向面側Ｓ２に位置する吸液性の吸収体２２と、該吸収体２２の非肌対向面側Ｓ２に位置する裏面シート２３と、尿取りパッド１の幅方向Ｗの両端部において表面シート２１の肌対向面側Ｓ１に位置する一対のサイドシート２４、２５と、吸収体２２及び裏面シート２３の間に位置する液不透過性の防漏シート２６と、を基本構成として含んでいる。
【００４３】
ここで、本明細書において、「幅方向の両端部」は、「対象物（例えば、吸収性物品、主要部、カバーシート等）の幅方向における一方側の端部及び他方側の端部」を意味し、さらに、「幅方向の端部」は、「対象物の幅方向の端縁（幅方向において最も外方側に位置する縁）を含み且つ該端縁から幅方向の内方側に延在する所定範囲の部分（すなわち、幅方向長さが幅方向全長の１５％以内となる部分）」を意味する。なお、その他の方向の端部（例えば、長手方向の端部等）についても同様である。
【００４４】
なお、上述の主要部は、吸収性物品の基本的な機能（すなわち、吸収性能等）を保持する部分であり、その構成要素は、吸収性物品の種類によって異なるものである。したがって、例えば、表面シートが所定の吸収性能を有するような場合には、主要部は、吸収体を含まなくてもよいし、また、防漏性能が担保されているような場合には、主要部は、サイドシートを含まなくてもよい。
【００４５】
次に、本発明において、吸収性物品の主要部を構成し得る各種部材について詳説する。
【００４６】
［表面シート］
上述の実施形態に係る尿取りパッド１において、表面シート２１は、図１〜図３に示すように、カバーシート３及び低摩擦部材４と厚さ方向Ｔに重複する部分以外は、着用者の肌に直に接触し得る位置（すなわち、尿取りパッド１の肌対向面側Ｓ１の位置）に配置されており、着用者から排出された排泄液が透過し得る液透過性シートによって構成されている。
【００４７】
表面シート２１は、図１〜図３に示すように、平面視にて、表面シート２１の非肌対向面側Ｓ２に配置される吸収体２２の略全体を覆うように長手方向Ｌ及び幅方向Ｗに延在しており、尿取りパッド１の長手方向Ｌに沿う方向に長い縦長の略矩形状の外形形状を有している。なお、本発明の吸収性物品において、表面シートの外形形状は、このような態様に限定されず、吸収体の肌対向面側の表面を少なくとも中央領域において露出しないように覆うことができるものであれば、各種用途等に応じた任意の外形形状及びサイズのものを採用することができる。
【００４８】
本発明において、表面シートとして用い得る液透過性シートは、所定の液透過性や肌触り等を備えるものであれば特に制限されず、例えば、セルロース系繊維や親水化処理を施した熱可塑性樹脂繊維等を用いて形成された、スパンボンド不織布、エアスルー不織布、ＳＭＳ不織布等の任意の不織布などを用いることができる。
【００４９】
なお、表面シートとして用い得る液透過性シート（不織布等）の坪量及び厚みは、本発明の効果を阻害しない限り特に制限されず、所望の液透過性や肌触り等を考慮した任意の坪量及び厚みを採用することができるが、排泄液の液戻りが生じにくくなる等の点から、表面シートは、比較的厚みの厚い液透過性シートを用いることが好ましい。
【００５０】
また、本発明においては、表面シートの構造も、所定の液透過性や肌触り等を備えるものであれば特に制限されず、一般的な不織布のように略平坦な構造を有するものでも、畝溝構造等の任意の凹凸構造を有するものでもよいが、褥瘡等の皮膚疾患の発生や悪化を引き起こしにくくする等の点から、表面シートは、畝溝構造等の凹凸構造を有するものを用いることが好ましい。そのような凹凸構造としては、例えば、吸収性物品の厚さ方向において肌対向面側に向かって突出し且つ吸収性物品の長手方向に沿う方向に連続的に延びる畝部と、吸収性物品の厚さ方向において非肌対向面側に向かって窪み且つ吸収性物品の長手方向に沿う方向に連続的に延びる溝部とが、吸収性物品の幅方向に沿って交互に繰り返すように配置された畝溝構造などが挙げられる。
表面シートがこのような凹凸構造を有していると、当該表面シートと、着用者の肌やカバーシートとの接触面積を小さくすることができるため、カバーシートが移動ないし伸長しやすく、さらに、吸収体に吸収された排泄液やその湿気が着用者の肌に接触して、着用者に濡れた状態や蒸れた状態を知覚させたり、着用者の肌が濡れた状態になったりするようなことを、生じにくくすることができる。
【００５１】
なお、上述の畝溝構造における畝部及び溝部の延びる方向は、特に限定されず、畝部及び溝部は、吸収性物品の幅方向等の任意の方向に沿って延びていてもよい。さらに、畝部の内部構造も特に限定されず、畝部は、中空の内部構造（すなわち、畝部の延びる方向と直交する方向に沿った断面構造が略波形となる構造）を有していても、中実の内部構造を有していてもよい。
【００５２】
表面シートに上述の凹凸構造を付与する方法は、特に制限されず、例えば、繊維ウェブに連続的に気体（例えば、エア等）を吹き付ける方法や、圧縮成形法、ギア延伸法などの任意の賦形方法を採用することができる。
【００５３】
また、本発明において、表面シートは、肌対向面側に位置する一対のサイドシートの非肌対向面と接合されていても、吸収体の肌対向面又は非肌対向面と接合されていても、防漏シート又は裏面シートの肌対向面と接合されていてもよい。なお、接合方法も、特に制限されず、ホットメルト型接着剤や熱融着等の任意の接合手段を採用することができる。
【００５４】
［吸収体］
次に、本発明の吸収性物品に用い得る吸収体について説明する。上述の実施形態に係る尿取りパッド１において、吸収体２２は、図１〜図３に示すように、尿取りパッド１の厚さ方向Ｔにおいて表面シート２１と裏面シート２３（より具体的には、防漏シート２６）との間に配置され、表面シート２１を透過してきた着用者の排泄液を吸収及び保持する、吸収性部材によって構成されている。
【００５５】
吸収体２２は、図１に示すように、平面視にて、尿取りパッド１における前方領域ＡＦ（具体的には、長手方向Ｌの前方側端縁１Ａ近傍）から後方領域ＡＢ（具体的には、長手方向Ｌの後方側端縁１Ｂ近傍）にわたって延在し、且つ、尿取りパッド１における幅方向Ｗの一方側端縁近傍から幅方向Ｗの他方側端縁近傍にわたって延在しており、尿取りパッド１の長手方向Ｌに沿う方向に長く形成されているとともに、長手方向Ｌの略中央部分が幅方向Ｗの内方側に向かって括れた略砂時計形の外形形状を有している。なお、本発明において、吸収体の外形形状は、このような態様に限定されず、所定の吸収性能を発揮し得るものであれば、矩形状、長円形状等の任意の外形形状を有していてもよい。
【００５６】
また、吸収体が配置される平面視における位置についても、長手方向Ｌに延びる幅方向中央軸線ＣＬ及び幅方向Ｗに延びる長手方向中央軸線ＣＷの交点を含む吸収性物品の中央部を包含する位置であれば特に制限されず、例えば、吸収体は、吸収性物品における長手方向の一方寄りに偏って配置されていてもよい。
【００５７】
本発明において、吸収体として用い得る吸収性部材は、尿などの排泄液を吸収及び保持することができるものであれば特に制限されず、当分野において公知の任意の吸収性部材を採用することができる。そのような吸収性部材の例としては、後述の吸収性材料によって構成される吸収コアを、親水性のティッシュ等のコアラップシートで覆ったものなどが挙げられる。ここで、吸収コアを構成する吸収性材料としては、例えば、親水性繊維や高吸収性ポリマーなどが挙げられ、更に具体的には、粉砕パルプ、コットン、レーヨン、アセテート等のセルロース系繊維；アクリル酸ナトリウムコポリマー等の高吸収性ポリマーからなる粒状物；及びこれらを任意に組み合わせた混合物などが挙げられる。
【００５８】
なお、本発明において、吸収体は、２層以上の吸収層が厚さ方向に積層された多層構造の吸収性部材によって構成されていてもよい。この場合、各吸収層は、同一組成の吸収性部材によって構成されていても、異なる組成の吸収性部材によって構成されていてもよい。さらに、各吸収層の外形形状（平面視形状）やサイズについても、互いに同一のものであっても、異なるものであってもよい。
【００５９】
また、吸収体全体の坪量及び厚みは、本発明の効果を阻害しない限り特に制限されず、所望の吸収性能や柔軟性等を考慮した任意の坪量及び厚みを採用することができる。
【００６０】
なお、本発明においては、上述の吸収体のほかに、該吸収体の吸収性能を補う吸収性シートを更に備えていてもよい。かかる吸収性シートについては後述する。
【００６１】
［裏面シート］
次に、本発明の吸収性物品に用い得る裏面シートについて説明する。上述の実施形態に係る尿取りパッド１において、裏面シート２３は、図１〜図３に示すように、尿取りパッド１の厚さ方向Ｔにおける非肌対向面側Ｓ２に配置されており、所定の通気性を備えつつも、着用者から排出された尿などの排泄液の透過を防止し、当該排泄液が外部（例えば、着用者の着衣等）に漏れ出ないように機能する、疎水性不織布又は液不透過性シートによって構成されている。
【００６２】
裏面シート２３は、図１〜図３に示すように、平面視にて、尿取りパッド１における長手方向Ｌの前方側端縁１Ａから後方側端縁１Ｂにわたって延在し、且つ、尿取りパッド１における幅方向Ｗの一方側端縁から他方側端縁にわたって延在しており、尿取りパッド１の外形形状と同様の、略砂時計形の外形形状を有している。なお、本発明において、裏面シートの外形形状は、このような態様に限定されず、裏面シートの肌対向面側に配置される吸収体の非肌対向面の表面が露出しないようなものであれば、各種用途等に応じた任意の外形形状及びサイズのものを採用することができる。
【００６３】
本発明において、裏面シートとして用い得る疎水性不織布は、所定の疎水性や通気性等を有するものであれば特に制限されず、例えば、スパンボンド不織布、ポイントボンド不織布、メルトブローン不織布、ＳＭＳ不織布（スパンボンド層／メルトブローン層／スパンボンド層の各不織布層を含む３層以上の多層構造（例えば、５層構造等）からなる不織布）、エアスルー不織布などの任意の疎水性不織布を用いることができる。かかる疎水性不織布は、吸収性物品が裏面シートと吸収体との間に防漏シートを備えている場合は、必ずしも液不透過性を有していなくてもよいが、特に、吸収性物品が裏面シートと吸収体との間に防漏シートを備えていない場合には、液不透過性を有するものを用いることが好ましい。
【００６４】
なお、疎水性不織布の構成繊維は、特に制限されず、例えば、ポリエチレンやポリプロピレン等のポリオレフィン系繊維；ポリエチレンテレフタレート等のポリエステル系繊維；芯鞘型複合繊維等の各種複合繊維などの熱可塑性樹脂繊維を用いることができる。さらに、疎水性不織布の坪量や厚みも、本発明の効果を阻害しない限り特に制限されず、通気性等を考慮した任意の坪量や厚みを採用することができる。
【００６５】
一方、裏面シートとして用い得る液不透過性シートは、所定の液不透過性を有するものであれば特に制限されず、例えば、ポリエチレン等の熱可塑性樹脂からなるプラスチックフィルムなどの任意の液不透過性シートを用いることができる。かかる液不透過性シートは、液不透過性を備えつつも一定の通気性を有するもの（例えば、複数の開孔を有するプラスチックフィルム等）を用いることが好ましい。
【００６６】
また、上述の実施形態においては、尿取りパッド１は、裏面シート２３と吸収体２２との間に、液不透過性の防漏シート２６を備えている。かかる防漏シート２６は、ポリエチレン等の熱可塑性樹脂からなるプラスチックフィルムによって構成されており、着用者から排出された尿などの排泄液の透過を防止し、当該排泄液が外部に漏れ出ないように機能するものである。このような防漏シートを備えることは、本発明の吸収性物品においては必須の構成要件ではないものの、吸収性物品が防漏シートを備えていると、尿などの排泄液の漏出をより効果的に抑制することができる。
【００６７】
なお、本発明において、防漏シートを配置する位置は、当該防漏シートの機能が発揮し得る領域であれば特に制限されず、防漏シートは、上述の実施形態のように吸収性物品の前方領域から後方領域にわたって配置されていてもよいし、中央領域等の特定領域のみに配置されていてもよい。
【００６８】
［サイドシート］
次に、本発明の吸収性物品に用い得る一対のサイドシートについて説明する。上述の実施形態に係る尿取りパッド１において、一対のサイドシート２４、２５は、図１〜図３に示すように、表面シート２１の肌対向面側Ｓ１において、尿取りパッド１の幅方向Ｗにおける一方側の端部に配置された帯状のサイドシート２４と、尿取りパッド１の幅方向Ｗにおける他方側の端部に配置された帯状のサイドシート２５とによって構成されている。これら一方側のサイドシート２４及び他方側のサイドシート２５は、図１に示すように、平面視にて、尿取りパッド１における長手方向Ｌの前方側端縁１Ａから後方側端縁１Ｂにわたって延在しているとともに、図２に示すように、幅方向Ｗの外方側に位置する、サイドシート２４の幅方向外方側端部２４Ｌ及びサイドシート２５の幅方向外方側端部２５Ｒが、それぞれ防漏シート２６における幅方向Ｗの一方側端部及び他方側端部と接合されて固定端を形成している一方、幅方向Ｗの内方側に位置する、サイドシート２４の幅方向内方側端部２４Ｒ及びサイドシート２５の幅方向内方側端部２５Ｌは、いずれの部材とも接合されておらず、自由端を形成している。
【００６９】
なお、吸収性物品が上述の防漏シートを備えていない場合は、一対のサイドシートは、それぞれ裏面シートにおける幅方向の一方側端部（上述の実施形態における一方側端部２３Ｌ）及び他方側端部（上述の実施形態における他方側端部２３Ｒ）に接合されていてもよい。
【００７０】
また、上述の実施形態において、幅方向Ｗにおける一方側のサイドシート２４及び他方側のサイドシート２５の各々は、図１及び図３に示すように、幅方向内方側端部２４Ｒ近傍及び幅方向内方側端部２５Ｌ近傍において、当該サイドシート２４及びサイドシート２５を長手方向Ｌに収縮させて各幅方向内方側端部２４Ｒ、２５Ｌを起立させるための弾性部材２７が、長手方向Ｌに沿ってそれぞれ配置されている。かかる弾性部材２７の収縮によって、上述のサイドシート２４及びサイドシート２５の各幅方向内方側端部２４Ｒ、２５Ｌが起立し、尿などの排泄液の幅方向への漏洩を防止するための防漏壁部２８が形成される。
【００７１】
本実施形態において弾性部材２７は、図１に示すように、尿取りパッド１の長手方向Ｌにおける前方領域ＡＦから後方領域ＡＢにわたる広範な領域に跨って配置されているが、本発明において弾性部材の配置形態は特に限定されない。例えば、弾性部材は、一対のサイドシートの長手方向の全長にわたって配置してもよいし、上述の実施形態のように、一対のサイドシートの長手方向における前方側端縁近傍及び後方側端縁近傍を除く所定の範囲内に配置してもよい。なお、弾性部材を後者のように配置すると、吸収性物品の長手方向における端部が反り返りにくくなるという利点がある。
【００７２】
本発明において、弾性部材を一対のサイドシートに取り付ける際の伸長倍率は、カバーシートを引っ張り過ぎず且つ排泄液の漏洩が生じにくい倍率であれば特に制限されず、かかる伸長倍率は、弾性部材の自然長に対して、例えば１．３〜３．０倍の範囲内であり、好ましくは１．５〜２．５倍の範囲内、更に好ましくは１．７〜２．３倍の範囲内である。なお、上述の実施形態においては、弾性部材２７は、サイドシート２４の幅方向内方側端部２４Ｒ及びサイドシート２５の幅方向内方側端部２５Ｌに、それぞれ１本ずつ配置されているが、本発明においては、このような配置態様に限定されず、弾性部材は、一対のサイドシートの各々に、２本以上ずつ配置してもよい。なお、弾性部材としては、尿取りパッドや使い捨ておむつ等の吸収性物品において一般的に使用されている糸ゴム等を用いることができる。
【００７３】
また、上述の実施形態において、一対のサイドシート２４、２５は、図１に示すように、尿取りパッド１の長手方向Ｌに長い縦長の帯状の外形形状を有する液不透過性シートによって構成されているが、本発明において、一対のサイドシートは、このような態様に限定されず、所定の防漏壁部を形成し得るものであれば、任意の外形形状及びサイズの液不透過性シートを採用することができる。
【００７４】
サイドシートとして用い得る帯状の液不透過性シートは、所定の液不透過性や柔軟性等を有するものであれば特に制限されず、例えば、疎水性不織布（例えば、疎水性を有する又は疎水性が付与された、スパンボンド不織布、ポイントボンド不織布、スパンボンド層／メルトブローン層／スパンボンド層（ＳＭＳ）不織布等）、液不透過性を有する合成樹脂製フィルム、及びそれらの積層体等の任意の液不透過性シートを用いることができる。
【００７５】
また、サイドシートとして用い得る帯状の液不透過性シート（例えば、疎水性不織布等）の坪量及び厚みは、本発明の効果を阻害しない限り特に制限されず、所望の液不透過性や柔軟性等を考慮した任意の坪量及び厚みを採用することができる。
【００７６】
なお、このようなサイドシートを備えることは、本発明の吸収性物品においては必須の構成要件ではないものの、吸収性物品がこのようなサイドシートを備えていると、特に吸収性物品の幅方向において、尿などの排泄液の漏出をより効果的に抑制することができる上、カバーシートが接合されることで、上述のとおり、当該カバーシートが、表面シートに対して相対的に面方向に移動しやすくなるという利点がある。
【００７７】
以下、本発明において、上述の主要部以外の吸収性物品を構成する各種部材（すなわち、カバーシート、低摩擦部材及び吸収性シート）について詳説する。
【００７８】
＜カバーシート＞
上述の実施形態に係る尿取りパッド１において、カバーシート３は、図１、図２及び図４に示すように尿取りパッド１の後方領域ＡＢにおいて、低摩擦部材４と厚さ方向Ｔに重複するように当該低摩擦部材４の肌対向面側Ｓ１に位置し、且つ、平面視にて低摩擦部材４が露出しないように当該低摩擦部材４の全体を包含するように（すなわち、カバーシート３と表面シート２１との間に低摩擦部材４が介在するように）配置されている。カバーシート３をこのように配置することで、カバーシート３と表面シート２１との間の摩擦抵抗をより低減させることができ、カバーシート３を、表面シート２１に対して相対的に面方向に移動しやすくすることができる。
【００７９】
また、カバーシート３は、平面視にて、尿取りパッド１の長手方向Ｌに沿う所定の長手方向長さ（例えば、１５０ｍｍ〜２５０ｍｍ）と、尿取りパッド１の幅方向Ｗに沿う所定の幅方向長さ（例えば、１００ｍｍ〜２００ｍｍ）とを有する、長手方向Ｌに長い略矩形状の外形形状を有している。なお、本発明において、カバーシートの外形形状は、本発明の効果を阻害しない限り特に制限されず、任意の外形形状（例えば、円形、楕円形、多角形等）を採用することができる。
【００８０】
本発明において、カバーシートを構成する材料は、特に制限されず、例えば、エアスルー不織布、スパンボンド不織布等の不織布；織物；編物；プラスチックフィルムなどの任意のシート状部材を採用することができ、かかるシート状部材は、親水性又は疎水性のいずれであってもよい。本発明に用いられるカバーシートは、着用者の肌に直に接触し得るものであるため、上述のシート状部材の中でも、肌触りや柔軟性に優れたシート状部材を用いることが好ましい。そのようなシート状部材としては、例えば、エアスルー不織布やスパンボンド不織布等の不織布が挙げられる。また、カバーシートを構成するシート状部材は、着用者の肌（具体的には、臀部の肌）を濡らしにくくする点から、疎水性に優れたものが好ましい。なお、カバーシートを形成するシート状部材として親水性の材料を用いた場合でも、尿などの排泄液やその湿気を一定程度透過させることができるため、着用者の肌とカバーシートとの間に尿などの排泄液やその湿気を籠もりにくくすることができるという利点がある。
【００８１】
そして、本発明においては、カバーシートは、少なくとも一方向（すなわち、吸収性物品の長手方向に対応する方向）に伸長可能なシート状部材によって形成されていて、具体的には、少なくとも吸収性物品の長手方向に対応する方向に伸長可能な伸長領域を有するとともに、当該伸長領域において吸収性物品の長手方向に対応する方向に延在する１又は複数の強度保持部を有する、伸長可能なシート状部材によって形成されている。なお、上述の実施形態においては、カバーシート３は、図１及び図４に示すように、尿取りパッド１の長手方向Ｌに伸長可能な伸長領域３２と、当該伸長領域３２において尿取りパッド１の長手方向Ｌに延在し且つ幅方向Ｗに所定間隔をあけて配置された７つの強度保持部３１と、を有している。
カバーシートがこのような伸長可能なシート状部材によって形成されていると、上述の伸長領域が着用者の身体形状に追従して的確に密着することができるので、着用者が吸収性物品の着用中に動いたとしても、上述のカバーシートを、着用者の臀部の動きに合わせて、着用者の肌とともに精度よく面方向に移動ないし伸長させることができ、着用者の肌に対して摩擦やずれ力等による物理的刺激を与えにくくすることができる。
さらに、このカバーシートは、上述の伸長領域において、長手方向に延在する１又は複数の強度保持部を有しているため、吸収性物品に長手方向のずれ力が掛かるような場合でも、上述の伸長領域が、図９（ｂ）に示すような長手方向Ｌに縮まった状態になりにくく、仮に、上述のずれ力が長時間にわたって繰り返し掛かることにより、カバーシートの伸長領域が長手方向に縮まった状態になった場合でも、図９（ａ）に示すような元の状態に復元しやすくなっている。
したがって、本発明の吸収性物品は、このような特定の伸長可能なカバーシートを備えていることによって、ずれ力が長時間にわたって繰り返し掛かるような場合でも、カバーシートの所期の機能（すなわち、カバーシートが着用者の臀部の動きに合わせて移動ないし伸長して、着用者の肌に摩擦やずれ力による物理的刺激を与えにくくするという機能）を十分に発揮することができ、結果的に、着用者に不快感を生じさせにくく、褥瘡等の皮膚疾患の発生や悪化も引き起こしにくくすることができる。
【００８２】
ここで、本明細書において、「伸長可能」とは、ＪＩＳ  Ｌ  １９１３：２０１０の「６．３引張強さ及び伸び率」に記載の方法に従って対象物を相反する所定の２方向（すなわち、少なくとも長手方向）に５．０Ｎの力で引っ張ったときに、破断することなく、自然状態（すなわち、伸びる前の状態）の対象物の引張方向における長さ（１００％）に対して３％以上伸びる（すなわち、引張後の長さが１０３％以上となるように伸びる）ことが可能であることをいう。
【００８３】
また、本発明において、カバーシートの伸長領域における伸長方向は、少なくとも吸収性物品の長手方向に対応する方向に伸長するものであれば、それ以外の方向（例えば、幅方向に対応する方向等）にも伸長してもよい。カバーシートの伸長方向が多方向となることで、当該カバーシートをより的確に着用者の身体形状に追従させることができる。
【００８４】
なお、上述のカバーシートの伸長領域は、少なくとも吸収性物品の長手方向に対応する方向に伸長するものであれば、伸長後の収縮の有無は問わず、カバーシートは、伸長後に収縮するようなもの（弾性部材等により伸縮性を有するもののほか、着用者の臀部の動きに起因する外力によって伸長及び収縮するものを含む。）であっても、着用者の臀部の動きに起因する外力が無ければ殆ど収縮しないようなものであってもよい。
【００８５】
カバーシートに用い得る伸長可能なシート状部材としては、少なくとも一方向（吸収性物品の長手方向）に伸長し得るものであれば、特に制限されず、例えば、吸収性物品の幅方向に連続的に延びる凸条部と凹溝部とが長手方向において交互に繰り返すように配置された凹凸構造を有する不織布又は織編物；弾性繊維等の弾性部材が吸収性物品の長手方向に沿って配置された不織布又は織編物；及びこれらを任意に組み合わせた積層体などを好適に用いることができる。中でも、上述の凹凸構造を有する不織布は、当該凹凸構造を有する領域において伸長可能であるだけでなく、着用者の肌との接触面積が少なく、肌への物理的刺激も小さいため、カバーシートとして特に好ましく用いることができる。
【００８６】
また、上述の実施形態においては、カバーシート３の伸長領域３２は、図４及び図５に示すように、幅方向Ｗの両端部に位置し且つ長手方向Ｌに延在する２つの端部側伸長部（具体的には、幅方向Ｗにおける一方側の端部側伸長部３２Ｌ及び他方側の端部側伸長部３２Ｒ）と、幅方向Ｗにおいてこれら端部側伸長部の間に位置し且つ長手方向Ｌに延在する６つの内方側伸長部３２Ｃと、これら各伸長部の間に隣接するように並び且つ長手方向Ｌに延在する７つの強度保持部３１と、を含んで構成されている。
【００８７】
上述の端部側伸長部３２Ｌ、３２Ｒ及び内方側伸長部３２Ｃの各々は、図６及び図７に示すように、尿取りパッド１の厚さ方向Ｔにおいて肌対向面側Ｓ１に突出し且つ幅方向Ｗに連続的に延びる凸条部３２Ａと、厚さ方向Ｔにおいて非肌対向面側Ｓ２に窪み且つ幅方向Ｗに連続的に延びる凹溝部３２Ｂとが、長手方向Ｌにおいて交互に繰り返すように配置された、特定の凹凸構造を有している。なお、長手方向Ｌに並ぶ凸条部３２Ａの間隔（すなわち、長手方向に並ぶ凸条部の頂点間距離）は、特に制限されず、所望の伸長性や肌触り等に応じた任意の間隔（例えば、１ｍｍ〜１０ｍｍの範囲内の間隔等）を採用することができる。
【００８８】
さらに、上述の端部側伸長部３２Ｌ、３２Ｒにおいては、凸条部３２Ａが、図５に示すように、幅方向長さが相対的に長く且つ伸長領域３２の幅方向端縁３２ＥＬ、３２ＥＲに接する第１凸条部３２Ａ１と、幅方向長さが相対的に短く且つ伸長領域３２の幅方向端縁３２ＥＬ、３２ＥＲに接しない第２凸条部３２Ａ２とを有しており、これらの第１凸条部３２Ａ１及び第２凸条部３２Ａ２は、図５に示すように、凹溝部３２Ｂを介して、長手方向Ｌに沿って交互に繰り返すように配置されている。ここで、凸条部３２Ａ（第１凸条部３２Ａ１を含む。）及び凹溝部３２Ｂの幅方向長さは、特に制限されず、所望の伸長性や肌触り等に応じた任意の長さ（例えば、５ｍｍ〜５０ｍｍの範囲内の長さ等）を採用することができ、さらに、第１凸条部３２Ａ１と第２凸条部３２Ａ２の幅方向長さの差も特に制限されず、例えば、１ｍｍ〜５ｍｍの範囲内である。
なお、図５においては、端部側伸長部３２Ｒの具体的な形態、すなわち、第１凸条部３２Ａ１の幅方向外方側の端部３２Ａ１Ｅが伸長領域３２の幅方向端縁３２ＥＲに接するとともに、第２凸条部３２Ａ２の幅方向外方側の端部３２Ａ２Ｅが伸長領域３２の幅方向端縁３２ＥＲよりも幅方向Ｗの内方側に位置する形態を示している。
【００８９】
伸長領域３２の端部側伸長部３２Ｒが、このような特定の第１凸条部３２Ａ１及び第２凸条部３２Ａ２を有するように構成されていると、上述の第１凸条部３２Ａ１により、カバーシート３の伸長領域３２を幅方向Ｗに可及的に広く確保しつつも、上述の第２凸条部３２Ａ２の幅方向外方側の端部３２Ａ２Ｅと伸長領域３２の幅方向端縁３２ＥＲとの間の凹凸構造が賦形されていない部分（以下、「第２凸条部の幅方向外方側に位置する非賦形部」ということがある。）により、一定の強度を確保することができるため、ずれ力が長時間にわたって繰り返し掛かるような場合でも、カバーシートに破れが生じにくく、当該カバーシートの機能をより確実に且つ安定的に発揮することができる。
【００９０】
なお、本発明においては、このような特定の第１凸条部及び第２凸条部を有する端部側伸長部は、伸長領域の幅方向の一方の端部のみに配置されていてもよいが（この場合、他方の端部は、内方側伸長部と同様に、幅方向長さが一定の凸条部と凹溝部とを有する端部側伸長部となる。）、カバーシートの強度を幅方向の両端部付近において均等に確保することができるという点から、かかる特定の第１凸条部及び第２凸条部を有する端部側伸長部は、伸長領域の幅方向の両端部の各々に配置されていることが好ましい。
【００９１】
また、本実施形態において、凸条部３２Ａ及び凹溝部３２Ｂは、図６に示すように、長手方向Ｌに沿った断面形状が略ジグザグ状の凹凸形状を有しているが、本発明において、凸条部及び凹溝部の具体的な形状は、カバーシートに少なくとも長手方向の伸長性を付与し得る形状であれば、上述の凹凸形状を有するものに限定されず、凸条部及び凹溝部は、例えば、長手方向に沿った断面形状が略波形となる形状等の任意の形状のものを採用することができる。
【００９２】
上述の実施形態において、カバーシート３の伸長領域３２における各伸長部の凸条部３２Ａ及び凹溝部３２Ｂは、カバーシート３の基材となる略平坦な不織布に対して、ギア賦形加工により厚さ方向Ｔの両側から凸条部３２Ａ及び凹溝部３２Ｂを形成する所定部分を押圧することにより形成されている。そして、このギア賦形加工の際に、各伸長部の間の部分を、厚さ方向Ｔの両側から同時に押圧することにより又は押圧しないことにより、図６及び図７に示すような厚さ方向Ｔの略中央に位置する強度保持部３１が形成される。したがって、この強度保持部３１には、上述の凸条部３２Ａ及び凹溝部３２Ｂのような凹凸構造は形成されず、かかる強度保持部３１は、図６及び図７に示すような厚さ方向Ｔの一方側の面（肌対向面側の面３１ａ）及び他方側の面（非肌対向側の面３１ｂ）の各々が略平坦に形成されている。なお、この強度保持部３１の幅方向長さは、本発明の効果を奏し得る限り特に制限されず、例えば、１ｍｍ〜１０ｍｍの範囲内の長さ等の任意の長さを採用することができ、さらに、強度保持部３１の肌対向面側の面３１ａから凸条部３２Ａの頂点までの高さも、特に制限されず、所望の伸長性や肌触り等に応じた任意の高さ（例えば、０．１ｍｍ〜２ｍｍの範囲内の高さ等）を採用することができる。
【００９３】
そして、このように形成された伸長領域３２は、凸条部３２Ａ及び凹溝部３２Ｂにおいて、基材となる不織布が厚さ方向Ｔに押圧されて引き延ばされたことにより、相対的に強度（剛性）が低くなっている一方、強度保持部３１においては、基材となる不織布が厚さ方向Ｔに押圧されて圧縮されたことにより又は基材となる不織布が厚さ方向Ｔに押圧されずにその強度が維持されていることにより、相対的に強度（剛性）が高くなっている。
したがって、本実施形態に係る尿取りパッド１は、カバーシート３の伸長領域３２において、このような相対的に強度の高い強度保持部３１が長手方向Ｌに延在しているため、尿取りパッド１に長手方向Ｌのずれ力が掛かった場合に、カバーシート３の伸長領域３２が、強度保持部３１によって、図９（ｂ）に示すような複数の皺ＷＲが寄り集まって長手方向Ｌに縮まった状態になりにくい上、仮に、ずれ力が長時間にわたって繰り返し掛かることによって、カバーシート３の伸長領域３２が長手方向Ｌに縮まった状態になった場合でも、図９（ａ）に示すような元の状態に復元しやすくなっている。これにより、尿取りパッド１は、ずれ力が長時間にわたって繰り返し掛かるような場合でも、カバーシート３の所期の機能（すなわち、カバーシート３が着用者の臀部の動きに合わせて移動ないし伸長して、着用者の肌に摩擦やずれ力による物理的刺激を与えにくくするという機能）を十分に発揮することができ、結果的に、着用者に不快感を生じさせにくく、褥瘡等の皮膚疾患の発生や悪化も引き起こしにくくすることができる。
【００９４】
ここで、本明細書において、強度保持部は、伸長領域における伸長部よりも相対的に強度(剛性）の高い部分を指し、その具体的な強度の値は特に限定されない。なお、強度保持部と伸長部の強度の比較は、例えば、次のようにして行うことができる。
先ず、強度保持部及び伸長部とそれぞれ同一の構造を有する所定寸法の測定用サンプルを作製した後、各測定用サンプルについて、最大荷重容量が５０Ｎであるロードセルを備えた引張試験機（島津製作所（株）製、オートグラフ  型式ＡＧＳ−１ｋＮＧ）を使用して、同一の条件下（例えば、１００ｍｍのチャック間距離、１００ｍｍ／分の引張速度等）にて引張強度を測定することで、両者の強度を比較することができる。なお、引張強度を測定する際の引張方向は、吸収性物品の長手方向に対応する方向とする。
【００９５】
なお、本発明において、カバーシートの伸長領域における強度保持部の構造は、当該強度保持部が伸長領域の少なくとも長手方向における強度を一定程度確保し得るものであれば、特に制限されず、当該強度保持部は、例えば、上述の凸条部及び凹溝部からなる凹凸構造よりも小さい凹凸構造を有するもの；基材の所定部分に強度補強部材（例えば、帯状の不織布やシート等）を貼り付けた積層構造を有するもの；基材の所定部分を加熱下又は非加熱下で圧縮した圧縮構造を有するもの；基材の所定部分を加圧下又は無加圧下で溶融させた溶融構造を有するもの；又はこれら各構造を任意に組み合わせた構造を有するものであってもよい。
【００９６】
また、上述の実施形態においては、カバーシート３の強度保持部３１は、図４に示すように、伸長領域３２の長手方向Ｌにおける前方側端縁３２ＥＦから後方側端縁３２ＥＢまで連続的に延在するように配置されている。カバーシート３の強度保持部３１がこのように伸長領域３２の前方側端縁３２ＥＦから後方側端縁３２ＥＢまで延在していると、上述の強度保持部３１の機能を伸長領域３２における長手方向Ｌの全域にわたって発揮することができるため、かかる構成を備えた尿取りパッド１は、上述のカバーシート３の機能をより確実に発揮することができる。
【００９７】
なお、上述のカバーシート３は、図４に示すように、幅方向Ｗの両端部３ＥＬ、３ＥＲの各々に、長手方向Ｌに延在する側方側非伸長領域（図４における幅方向Ｗの一方側の側方側非伸長領域３３Ｌ及び他方側の側方側非伸長領域３３Ｒ）を有しており、かかる側方側非伸長領域３３Ｌ、３３Ｒも、上述の強度保持部３１と同様に、肌対向面側の面及び非肌対向側の面の各々が略平坦となる構造を有し、相対的に高い強度を有している。
【００９８】
さらに、本実施形態に係る尿取りパッド１は、図１に示すように、尿取りパッド１を幅方向Ｗに折り畳むための長手方向Ｌに延びる折り線を２本有しており（図１において、幅方向中央軸線ＣＬを挟むようにして設けられた、幅方向Ｗの一方側の折り線Ｌ１と幅方向の他方側の折り線Ｌ２を参照。）、カバーシート３の強度保持部３１は、これらの折り線Ｌ１、Ｌ２と重複するように配置されている。このように、カバーシート３の強度保持部３１が尿取りパッド１の長手方向Ｌに延びる折り線Ｌ１、Ｌ２と重複していると、強度保持部３１に長手方向Ｌに延びる折り癖が付与されて、カバーシート３を皺の寄った状態に更になりにくくすることができる。
【００９９】
なお、本発明において、吸収性物品を幅方向に折り畳むための折り線の本数は、本発明の効果を阻害しない限り特に制限されず、吸収性物品の所望の包装形態等に応じた任意の本数（例えば、１本、４本等）を採用することができる。
【０１００】
また、カバーシートにおける伸長領域の配置形態（例えば、伸長部及び強度保持部の各々の数、配置位置、伸長部の長手方向長さ及び幅方向長さ等）は、本発明の効果を阻害しない限り特に制限されず、任意の配置形態を採用することができる。例えば、本発明に用い得るカバーシートの変形例としては、図８に示すカバーシート３’が挙げられる。なお、図８において、上述の実施形態のカバーシート３と異なる構成以外の構成は、基本的に上述のカバーシート３と同様であるため、説明を省略する。
この図８に示すカバーシート３’は、平面視にて、当該カバーシート３’の非肌対向面側Ｓ２に配置される低摩擦部材４の長手方向Ｌにおける前方側端縁４ＥＦよりも前方側ＳＦに位置し且つ幅方向Ｗに連続的に延在する前方側非伸長領域３４を有している。カバーシート３’がこのような非伸長領域（前方側非伸長領域３４）を有していると、カバーシート３’の前方側ＳＦの部分において上述のずれ力に抗する一定の強度を確保することができるため、カバーシート３’が皺によって長手方向Ｌに縮まったり、破れたりするようなことを、より一層生じにくくすることができる。
【０１０１】
なお、本発明において、カバーシートに占める伸長領域の割合は、本発明の効果を奏し得る限り特に制限されず、例えば、伸長領域が上述のような凹凸構造によって形成されている場合、伸長領域の平面視面積は、カバーシート全体の平面視面積に対して、５０％を超え、１００％以下の範囲内の面積である。
【０１０２】
そして、上述の実施形態においては、カバーシート３は、図１及び図２に示すように、幅方向Ｗにおける一方側の端部３ＥＬが上述の一方側のサイドシート２４の幅方向内方側端部２４Ｒ寄りの内方側部分２４Ｓに接合されている一方、幅方向Ｗにおける他方側の端部３ＥＲが上述の他方側のサイドシート２５の幅方向内方側端部２５Ｌ寄りの内方側部分２５Ｓに接合されている。このカバーシート３と各サイドシート２４、２５との接合は、図１に示すように、それぞれ、カバーシート３の長手方向Ｌにおける前方側端縁３ＥＦから後方側端縁にわたって行われ、長手方向Ｌに延びる一対の側方側接合部５、５（より具体的には、幅方向Ｗの外方側に位置する第１接合部５１と、幅方向Ｗの内方側に位置する第２接合部５２）を形成している。なお、本実施形態では、カバーシート３は、尿取りパッド１の幅方向Ｗの両端部までは延在していない。
【０１０３】
このように、カバーシート３は、防漏壁部２８を形成し得る、動きの自由度が大きい一対のサイドシート２４、２５に接合されていて、動きの自由度が小さい表面シート２１や吸収体２２、防漏シート２６、裏面シート２３などの部材には、直接固定されていないため、カバーシート３の移動が制限されにくく、寧ろ、動きの自由度が大きいサイドシートに接合されていることで、カバーシート３は、尿取りパッド１の表面シート２１に対して相対的に移動しやすくなっている。
さらに、このカバーシート３が接合される一対のサイドシート２４、２５は、尿取りパッド１の着用時に、それぞれの幅方向内方側端部２４Ｒ、２５Ｌが起立して防漏壁部２８を形成するものであるため、この一対のサイドシート２４、２５の起立の際に、当該一対のサイドシート２４、２５に接合されたカバーシート３が表面シート２１や低摩擦部材４から肌対向面側Ｓ１へ浮き上がり、カバーシート３と低摩擦部材４との間の摩擦抵抗がより一層生じにくくなっている。
【０１０４】
また、上述のカバーシート３と各サイドシート２４、２５との接合の一部は、カバーシート３の幅方向Ｗの両端部３ＥＬ、３ＥＲに位置する側方側非伸長領域３３Ｌ、３３Ｒにおいて行われており、その接合部（すなわち、側方側接合部５、５における第１接合部５１）の周辺部分は、尿取りパッド１の長手方向Ｌにずれ力が掛かった場合に応力の集中しやすい部分となっているものの、当該周辺部分は、カバーシート３の側方側非伸長領域３３Ｌ、３３Ｒ内に位置していることによって一定の強度が確保されているため、尿取りパッド１に長手方向Ｌのずれ力が長時間にわたって繰り返し掛かるような場合でも、カバーシート３に破れが生じにくく、上述のカバーシート３の機能をより安定的に発揮することができる。その結果、本実施形態に係る尿取りパッド１は、上述の作用効果（すなわち、着用者に不快感を生じさせにくく、褥瘡等の皮膚疾患の発生や悪化も引き起こしにくくすることができるという作用効果）を、より長時間にわたって、より安定的に奏することができる。
【０１０５】
さらに、上述のカバーシート３と各サイドシート２４、２５との接合の一部は、平面視にて、カバーシート３の端部側伸長部３２Ｌ、３２Ｒにおける第１凸条部３２Ａ１の幅方向外方側の端部３２Ａ１Ｅと重複し且つ第２凸条部３２Ａ２とは重複しない領域においても行われており、その接合部（すなわち、側方側接合部５、５における第２接合部５２）の周辺部分も、尿取りパッド１の長手方向Ｌにずれ力が掛かった場合に応力の集中しやすい部分となっているものの、当該周辺部分は、上述の第２凸条部３２Ａ２の幅方向外方側に位置する非賦形部を含む領域内に位置していることよって一定の強度が確保されているため、尿取りパッド１に上述のずれ力が長時間にわたって繰り返し掛かるような場合でも、カバーシート３に破れが生じにくく、上述のカバーシート３の機能をより確実に且つ安定的に発揮することができる。
【０１０６】
また、上述の実施形態では、カバーシート３の端部側伸長部３２Ｌ、３２Ｒにおける第１凸条部３２Ａ１と第２凸条部３２Ａ２が、凹溝部３２Ｂを介して、長手方向Ｌに交互に繰り返すように配置されていることによって、上述の第２凸条部３２Ａ２の幅方向外方側に位置する非賦形部が、カバーシート３の長手方向Ｌに沿って一定間隔おきに形成され、上述のずれ力に抗する強度を、カバーシート３の長手方向Ｌに沿ってより一層安定的に確保することができる。
【０１０７】
そして、カバーシート３の幅方向Ｗにおける両端部３ＥＬ、３ＥＲの各々と厚さ方向Ｔに重複し且つ当該カバーシート３と一対のサイドシート２４、２５とを接合する一対の側方側接合部５、５の各々は、上述のとおり、幅方向Ｗの外方側に位置し且つ長手方向Ｌに延在する第１接合部５１と、幅方向Ｗの内方側に位置し且つ長手方向Ｌに延在する第２接合部５２と、を有しているが、これらの第１接合部５１及び第２接合部５２は、図４及び図５に示すように、第１接合部５１の前方側端縁５１ＥＦがカバーシート３の前方側端縁３ＥＦと厚さ方向Ｔに重複し、第２接合部５２の前方側端縁５２ＥＦが、カバーシート３の前方側端縁３ＥＦよりも後方側ＳＢに位置するように配置されている。ここで、第２接合部５２の前方側端縁５２ＥＦの具体的な位置は、特に限定されないが、例えば、カバーシート３の前方側端縁３ＥＦから後方側へ１ｍｍ〜５０ｍｍの範囲内である。なお、本実施形態においては、第１接合部５１の後方側端縁５１ＥＢ及び第２接合部５２の後方側端縁５２ＥＢは、いずれもカバーシート３の後方側端縁と厚さ方向Ｔに重複している。
カバーシート３が、このような特定の配置形態の第１接合部５１及び第２接合部５２によってサイドシート２４、２５と接合されていると、カバーシート３において上述のずれ力が掛かった場合に応力の最も集中しやすい部分である第２接合部５２の前方側部分がサイドシート２４、２５に接合されていないことによって、当該前方側部分に掛かる応力を逃がし（他の部分に分散し）、カバーシート３をより一層破れにくくすることができ、さらに、上述の第２接合部５２よりも幅方向外方側に位置する第１接合部５１によって、カバーシート３をより着実にサイドシート２４、２５に固定することができる。これにより、本実施形態に係る尿取りパッド１は、上述のカバーシート３の機能をより長時間にわたって安定的に発揮することができる。
【０１０８】
さらに、上述の一対のサイドシート２４、２５の各々と、表面シート２１の幅方向Ｗにおける両端部２１Ｌ、２１Ｒとは、図２に示すように、上述の一対の側方側接合部５、５よりもそれぞれ幅方向Ｗの外方側に所定距離離れた外方側接合部６Ｌ、６Ｒによって、それぞれ接合されている。
このように、一対のサイドシート２４、２５の各々とカバーシート３との接合部である側方側接合部５、５と、一対のサイドシート２４、２５の各々と表面シート２１との接合部である外方側接合部６Ｌ、６Ｒとが、相互に離間していると、その離間した部分２４Ｄ、２５Ｄ（すなわち、一対のサイドシート２４、２５における側方側接合部５、５と外方側接合部６Ｌ、６Ｒとの間の部分）が存在することによって、カバーシート３の長手方向Ｌへの移動ないし伸長を許容し得る領域（すなわち、カバーシートの動き代）を確保しつつ、カバーシート３を、一対のサイドシート２４、２５が起立する際に表面シート２１から浮かび上がるように変位させることができる。これにより、本実施形態に係る尿取りパッド１は、上述のずれ力が掛かるような場合でも、当該ずれ力を一対のサイドシート２４、２５における側方側接合部５、５と外方側接合部６Ｌ、６Ｒとの間の部分２４Ｄ、２５Ｄで緩和しながら、カバーシート３を円滑且つ確実に、着用者の臀部の動きに合わせて移動ないし伸長させることができる。
【０１０９】
なお、上述の各接合部（すなわち、第１接合部５１、第２接合部５２及び外方側接合部６Ｌ、６Ｒ）の幅方向長さ及び配置間隔は、本発明の効果を阻害しない限り特に限定されず、所望の接合強度等に応じた任意の長さ（例えば、１ｍｍ〜２０ｍｍの範囲内の長さ等）及び配置間隔（例えば、第１接合部及び第２接合部の配置間隔が１ｍｍ〜１０ｍｍの範囲内であり、側方側接合部及び外方側接合部の配置間隔が５ｍｍ〜５０ｍｍの範囲内である等）を採用することができる。
【０１１０】
さらに、本発明においては、カバーシートは、動きが制限されなければ、上述のサイドシートとの接合に代えて又は加えて、上述のサイドシート以外の主要部に直接固定されていてもよい。すなわち、カバーシートは、動きが制限されないように、主要部を構成する各種部材に対して部分的に接合することができる。例えば、カバーシートは、その動きが制限されないように、ドレープを形成し得る程度に十分に撓むようにして、吸収性物品の主要部（より具体的には、表面シートや裏面シート）に接合することができる。
【０１１１】
例えば、上述の実施形態では、カバーシート３は、図４に示すように、幅方向Ｗに延在する後方側端部３ＥＢにおいて、当該後方側端部３ＥＢを幅方向Ｗに３等分する幅方向第１領域３ＥＢ１、幅方向中央領域３ＥＢＣ及び幅方向第２領域３ＥＢ２を有しており、カバーシート３は、幅方向中央領域３ＥＢＣの幅方向中央部（幅方向中央軸線ＣＬと重複する部分）以外の部分において、表面シート２１に接合されている。より具体的には、カバーシート３の後方側端部３ＥＢは、図４に示すように、幅方向第１領域３ＥＢ１から幅方向中央領域３ＥＢＣに跨って延在する後方側第１接合部７１と、幅方向第２領域３ＥＢ２から幅方向中央領域３ＥＢＣに跨って延在する後方側第２接合部７２とを介して、表面シート２１の肌対向面に接合されている一方、幅方向中央領域の幅方向中央部を含む部分においては、表面シート２１に接合されていない。
【０１１２】
なお、本発明において、カバーシートの後方側端部と表面シートとの接合形態は、上述の実施形態の態様に限定されず、例えば、カバーシートは、後方側端部の幅方向第１領域及び幅方向第２領域の各々において、その一部又は全部が表面シートの肌対向面に接合されていれば、幅方向中央領域においては、表面シートに接合されない又はその一部のみが表面シートに接合されるようにしてもよい。
【０１１３】
カバーシートの後方側端部がこのような特定の形態で表面シートに接合されていると、上述の幅方向中央領域においてカバーシートの動き代を十分に確保しつつ、上記幅方向第１領域及び幅方向第２領域において、カバーシートが長手方向に過度に移動ないし伸長しないようにカバーシートの動きを所定の範囲内に規制することができる。これにより、かかる構成を備えた吸収性物品は、カバーシートが過度に移動ないし伸長することによって生じ得る、復元の難しい状態（例えば、皺が強く寄った状態等）を形成しにくくなり、当該カバーシートの機能をより確実に発揮することができる。
【０１１４】
なお、上述の各後方側接合部（後方側第１接合部及び後方側第２接合部）のサイズは特に限定されず、例えば、各後方側接合部の長手方向長さは１０ｍｍ〜３０ｍｍの範囲内であり、幅方向長さは５ｍｍ〜４０ｍｍの範囲内である。
【０１１５】
本発明において、上述の各接合部（すなわち、側方側接合部（第１接合部、第２接合部）、外方側接合部、後方側第１接合部及び後方側第２接合部）の接合方法は、本発明の効果を阻害しない限り特に制限されず、ホットメルト型接着剤や熱融着等を用いた任意の接合方法を採用することができる。
【０１１６】
また、上述の実施形態においては、カバーシート３は、褥瘡やかぶれ等の皮膚疾患が生じやすい着用者の臀部付近（特に、仙骨付近）に対応するように、尿取りパッド１の後方領域ＡＢのみに配置されているが、本発明の吸収性物品においては、このような配置形態に限定されず、カバーシートは、後方領域だけでなく、上述の皮膚疾患が生じ得る前方領域や中央領域の一部の領域にも配置されていてもよい。
【０１１７】
さらに、上述の実施形態においては、カバーシート３は、図１に示すように、カバーシート３の後方側端部３ＥＢが尿取りパッド１の後方側端縁１Ｂまで延在するように配置されている。カバーシートをこのように配置することは、本発明の吸収性物品においては、必須の構成要件ではないものの、カバーシートは、吸収性物品の可能な限り後方側寄りの位置まで延在していることが好ましい。カバーシートがこのような位置まで延在していると、皮膚疾患が生じやすい着用者の臀部付近をより広く覆うことができるため、上述の皮膚疾患をより生じにくくすることができる。
【０１１８】
また、カバーシートのサイズは、本発明の効果を奏し得る限り特に制限されず、例えば、カバーシートの長手方向長さは、後方領域の長手方向長さの２５％〜１００％の範囲内であり、好ましくは３０％〜８０％の範囲内、更に好ましくは４０％〜７０％の範囲内である。なお、カバーシートの外形形状が矩形状以外の形状である場合は、長手方向長さは、当該形状の長手方向における最大長さを意味する。一方、カバーシートの幅方向長さは、皮膚疾患の生じやすい部位の範囲や排泄液の漏洩のしやすさ等を考慮して、例えば、５０ｍｍ〜２５０ｍｍの範囲内であり、好ましくは８０ｍｍ〜２００ｍｍの範囲内、更に好ましくは１００ｍｍ〜１８０ｍｍの範囲内である。なお、カバーシートの外形形状が矩形状以外の形状である場合は、幅方向長さは、当該形状の幅方向における最大長さを意味する。
【０１１９】
＜低摩擦部材＞
上述の実施形態に係る尿取りパッド１において、低摩擦部材４は、図１及び図２に示すように、尿取りパッド１の後方領域ＡＢにおいて表面シート２１とカバーシート３との間に配置されており、肌対向面側Ｓ１に配置されるカバーシート３との間の摩擦抵抗を低減し得る低摩擦性のシート状部材によって構成されている。
【０１２０】
また、低摩擦部材４は、平面視にて、尿取りパッド１の長手方向Ｌに沿う所定の長手方向長さ（例えば、１００ｍｍ〜２００ｍｍ）と、尿取りパッド１の幅方向Ｗに沿う所定の幅方向長さ（例えば５０ｍｍ〜１５０ｍｍ）とを有する略矩形状の外形形状を有している。なお、本発明において、低摩擦部材の外形形状は、このような態様に限定されず、上述のカバーシートとの間の摩擦抵抗を低減し得るものであれば、任意の外形形状（例えば、円形、楕円形、多角形等）及びサイズのものを採用することができる。また、低摩擦部材は、上述の実施形態のように１枚のシート状部材によって構成されていても、長手方向及び／又は幅方向に分割された複数枚のシート状部材によって構成されていてもよい。この場合、低摩擦部材を構成する複数枚のシート状部材は、長手方向及び／又は幅方向において所定の間隔をあけて配置されるが、複数枚のシート状部材がこのように配置されていると、液透過性や通気性を確保しやすくなる。
【０１２１】
本発明において、低摩擦部材として用い得るシート状部材は、上述のカバーシートとの摩擦抵抗を低減し得るものであれば、特に限定されず、例えば、ポリエチレンやポリプロピレン等のオレフィン系樹脂、シリコーン樹脂、ポリテトラフルオロエチレン等のフッ素樹脂などの摩擦係数の低い樹脂又は樹脂組成物からなる樹脂製シート状部材；ポリエチレンやポリプロピレン等のオレフィン系樹脂、ポリエチレンテレフタレート等のポリエステル樹脂などの汎用の熱可塑性樹脂又は熱可塑性樹脂組成物からなる基材シートの少なくとも一方の表面（吸収性物品内において、肌対向面側に位置する表面）にシリコーン樹脂やフッ素樹脂等の摩擦係数の低い低摩擦性材料を被覆してなる被覆型シート状部材などを用いることができる。
なお、本明細書において、シート状部材及び基材シートは、厚みが薄く平坦な構造を有するシートないしフィルムのほか、複数の開孔部を有する多孔構造や複数の凸部及び凹部を有する凹凸構造等の任意の構造が付与されたシート；織布や不織布、編布等の繊維シート；及びこれらを任意に組み合わせた積層シートなどの任意の形態のシート状構造物を含む。
【０１２２】
低摩擦部材として、上述の樹脂製シート状部材を用いる場合、かかる樹脂製シート状部材は、高密度ポリエチレン（ＨＤＰＥ）を５０質量％以上の割合で含むものが好ましく、高密度ポリエチレン（ＨＤＰＥ）及び低密度ポリエチレン（ＬＤＰＥ）を５０／５０〜７５／２５の範囲内の質量比で含むものが更に好ましい。低摩擦部材が高密度ポリエチレンを５０質量％以上の割合で含む樹脂製シート状部材によって形成されていると、低摩擦部材が、高密度ポリエチレン成分によって一定以上の硬さを有し且つ摩擦抵抗の小さい部材とすることができる。
さらに、低摩擦部材を形成する樹脂製シート状部材が高密度ポリエチレン及び低密度ポリエチレンを５０／５０〜７５／２５の範囲内の質量比で含むものであると、樹脂材料からシート状部材を形成する際などにシート状部材の内部に残留する応力（すなわち、内部残留応力）を、柔らかい低密度ポリエチレン成分によって低減することができるため、上記シート状部材（特に、上記シート状部材の幅方向の端部）が内部残留応力の緩和によって丸まる（すなわち、カールする）ことを抑制することができる。したがって、このような樹脂製シート状部材を低摩擦部材として備えた吸収性物品は、上述のカバーシートが、低摩擦部材上をより滑らかに移動することができるため、着用者の肌に対して摩擦やずれ力による物理的刺激をより一層与えにくくすることができる。
【０１２３】
なお、本明細書において、高密度ポリエチレンは、密度が０．９４２ｇ／ｃｍ３以上のポリエチレンを指し、低密度ポリエチレンは、密度が０．９１０ｇ／ｃｍ３以上０．９３０ｇ／ｃｍ３未満のポリエチレンを指す。
【０１２４】
また、低摩擦部材として、上述の被覆型シート状部材を用いる場合、かかる被覆型シート状部材は、上述の汎用の熱可塑性樹脂又は熱可塑性樹脂組成物からなる基材シートの少なくとも一方の表面に所定量（例えば、約０．６ｇ／ｍ２〜０．８ｇ／ｍ２の範囲内の量）のシリコーン樹脂等の低摩擦性材料を塗工することにより得ることができる。なお、低摩擦性材料としてシリコーン樹脂を用いる場合、かかるシリコーン樹脂の形態は特に制限されず、溶剤系、無溶剤系又はエマルジョン系のいずれの形態のものを用いることができ、さらに、シリコーン樹脂の硬化様式も特に制限されず、熱硬化型又は紫外線硬化型のいずれのシリコーン樹脂を用いることができる。但し、基材シートとして上述の汎用の熱可塑性樹脂又は熱可塑性樹脂組成物からなるプラスチックフィルムを用いる場合には、シリコーン樹脂を加熱により硬化させる際に、基材シートが変形ないし溶融する可能性があるため、紫外線硬化型のシリコーン樹脂を用いることが好ましい。なお、低摩擦性材料の塗工方法は、特に制限されず、スプレー方式、ロール方式、ディップ方式等の任意の塗工方法を採用することができる。
【０１２５】
なお、低摩擦部材は、肌対向面側に配置されるカバーシートとの間の摩擦抵抗を低減し得る低摩擦性を有するものであれば、その構造は特に制限されず、上述のシート状部材以外の任意の構造物（例えば、少なくとも１本の細長い棒状部材、少なくとも１本の帯状部材等）を採用することができるが、低摩擦領域を広範に確保することができる点や低摩擦部材表面におけるカバーシートの滑りやすさ（面方向の移動のしやすさ）、吸収性物品全体としての柔軟性等を考慮すると、上述の実施形態のような全体的に略平坦な構造を有するシート状部材を用いることが好ましい。
【０１２６】
また、低摩擦部材として用い得るシート状部材は、上述の実施形態のような全体的に略平坦な構造を有するものに限定されず、かかるシート状部材は、例えば、吸収性物品の幅方向における両方の端部が肌対向面側に向かって反って（すなわち、変位して）いてもよい。低摩擦部材を形成するシート状部材の幅方向における両方の端部が肌対向面側に向かって変位していると、当該肌対向面側に向かって変位した端部が、低摩擦部材の肌対向面側に位置するカバーシートを着用者の肌に押し付けることにより、カバーシートをより精度よく着用者の肌の動きに追従させることができる。
【０１２７】
そして、本発明において、低摩擦部材の表面（少なくとも肌対向面側の表面）の静摩擦係数は、上述のカバーシートが着用者の動きに合わせて着用者の肌と共に面方向に移動することができる程度の滑りやすさを確保できるものであれば特に制限されず、例えば、０．０４〜０．８０の範囲内であり、好ましくは０．１０〜０．５０の範囲内であり、更に好ましくは０．１０〜０．４０の範囲内である。また、低摩擦部材の表面の動摩擦係数も、同様に上述のカバーシートが着用者の動きに合わせて着用者の肌と共に面方向に移動することができる程度の滑りやすさを確保できるものであれば特に制限されず、例えば、０．１０〜０．７５の範囲内であり、好ましくは０．１０〜０．５５の範囲内であり、更に好ましくは０．１０〜０．４５の範囲内である。
【０１２８】
なお、静摩擦係数及び動摩擦係数は、ＪＩＳ  Ｐ８１４７  （ｂ）水平法に従って測定することができる。静摩擦係数及び動摩擦係数の測定に当たっては、水平板用の試験片としてＪＩＳ  Ｌ０８０３で規定される摩擦用綿布「交織３号（かなきん３号）」を用い、おもり用試験片として低摩擦部材を用いる。
【０１２９】
本発明において、低摩擦部材は、カバーシートと厚さ方向に完全に重複するように（すなわち、低摩擦部材とカバーシートとが同一の平面視面積を有するように）配置しても、平面視にて低摩擦部材がカバーシートを包含するように配置してもよいが、肌触りや液透過性、通気性等を良好に確保する点から、低摩擦部材は、カバーシートと厚さ方向に重複する位置においてカバーシートよりも狭い範囲となるように配置することが好ましい。その場合、低摩擦部材は、上述のカバーシートが面方向に移動した場合でも、低摩擦部材が露出しないような一定以下の平面視面積を有していることが好ましく、例えば、低摩擦部材の平面視面積は、カバーシートの平面視面積の１０％〜８０％の範囲内であり、好ましくは２０％〜６０％の範囲内、更に好ましくは２５％〜５０％の範囲内である。
【０１３０】
また、低摩擦部材を配置する位置は、平面視にて、カバーシートと重複する位置であれば特に制限されないが、好ましくはカバーシートの略中央である。
なお、吸収性物品が、展開した状態の吸収性物品を長手方向に折り畳むための幅方向に延びる折り線を有しているような場合には、低摩擦部材は、平面視にて、上記折り線と重ならない位置に配置されていることが好ましい。低摩擦部材がこのような折り線と重ならない位置に配置されていると、低摩擦部材に幅方向に延びる折り癖が付与されないため、上述のカバーシートの特に長手方向への移動のしやすさを確保しながら、吸収性物品を長手方向に折り畳まれたコンパクトな状態でパッケージ等に収納することができる。
【０１３１】
なお、低摩擦部材の厚みは、本発明の効果を阻害しない限り特に制限されず、柔軟性や強度等を考慮した任意の厚み（例えば、０．０１ｍｍ〜１．０ｍｍの範囲内の厚み）を採用することができる。この低摩擦部材の厚みは、レーザー変位計等の任意の非接触式測定器を用いて測定することにより、或いは走査型電子顕微鏡等を用いて断面を拡大観察することにより測定することができる。なお、低摩擦部材の厚みは、測定誤差の影響等を考慮して、異なる任意の５箇所の測定値の平均値を採用する。
【０１３２】
さらに、上述の低摩擦部材は、ホットメルト型接着剤等の任意の接合手段によって表面シートと接合されていることが好ましい。この接合手段は、吸収性物品の長手方向及び／又は幅方向において、連続的に適用しても、間欠的に適用してもよいが、接合手段を間欠的に適用した場合は、通気性を確保しやすく、吸収性物品内の蒸れが生じにくくなる。
【０１３３】
また、上述の低摩擦部材が厚さ方向に貫通する複数の開孔部を有するような場合には、表面シートと低摩擦部材は、プローブタック試験の測定値が０．７８Ｎ以下となる低タック性の接着剤を介して、少なくとも部分的に接合されていることが好ましい。表面シートと複数の開孔部を有する低摩擦部材とが、このような低タック性の接着剤を介して少なくとも部分的に接合されていると、低タック性の接着剤が低摩擦部材の開孔部を介して肌対向面側に位置するカバーシートと接合しないようにしつつ、低摩擦部材を表面シートに固定することができるため、低摩擦部材の位置ズレや剥離等を抑制しつつ、カバーシートをより安定して移動させることができる。
なお、プローブタック試験の測定値は、プローブタック型の任意の試験装置（例えば、株式会社レスカ製のタッキング試験機等）を用いて測定することができる。
【０１３４】
なお、本発明の吸収性物品において、上述の低摩擦部材を備えることは必須の構成要件ではないため、上述のカバーシートの移動ないし伸長が担保されている場合には、本発明の吸収性物品は、上述の低摩擦部材を備えていなくてもよい。
【０１３５】
＜吸収性シート＞
上述の実施形態に係る尿取りパッド１において、吸収性シート８は、図１に示すように、吸収体２２の肌対向面側Ｓ１において、幅方向Ｗに延びる長手方向中央軸線ＣＷよりも後方側ＳＢに位置し且つ上述のカバーシート３の前方側端縁３ＥＦを長手方向Ｌに跨ぐように配置されている。
【０１３６】
吸収性物品が、吸収体のほかに上記特定の位置に配置される吸収性シートを更に備えていると、着用者から排泄液が繰り返し供給されるような場合でも、吸収性物品の長手方向の後方側に向かって流れる排泄液を、吸収体及び吸収性シートによって段階的に吸収することができる。これにより、かかる吸収性シートを備えた吸収性物品は、着用者の臀部が排泄液によって濡れにくく、さらに、カバーシートが排泄液によって湿潤して、強度が低下するのを防ぐことができる。
【０１３７】
また、上述の実施形態において、吸収性シート８は、図１に示すように、平面視にて、尿取りパッド１の中央領域ＡＣから後方領域ＡＢにわたって延在する所定の長手方向長さ（例えば、１００ｍｍ〜２００ｍｍ）と、幅方向Ｗにおいて吸収体２２の大部分を覆うように延在する所定の幅方向長さ（例えば、１００ｍｍ〜２００ｍｍ）とを有する、長手方向Ｌに長い略矩形状の外形形状を有している。なお、本発明において、吸収性シートの外形形状は、このような態様に限定されず、所望の吸収性能等に応じた任意の外形形状（例えば、円形、楕円形、多角形等）のものを採用することができる。
【０１３８】
本発明において、吸収性シートは、高吸収性ポリマーを含むシート状部材であれば特に制限されず、例えば、アクリル酸ナトリウムコポリマー等の高吸収性ポリマーを、親水性を有するティッシュ等の被覆シートで覆ったものなどが挙げられる。なお、吸収性シートは、高吸収性ポリマーのほかに、上述の吸収体と同様の吸収性材料を含んでいてもよい。
【０１３９】
また、吸収性シートの坪量及び厚みは、本発明の効果を阻害しない限り特に制限されず、所望の吸収性能や柔軟性等を考慮した任意の坪量及び厚みを採用することができる。
【０１４０】
本発明は、上述した実施形態の尿取りパッドのほかに、例えば、（軽）失禁パッド、使い捨ておむつ等の様々な吸収性物品に適用することができる。また、本発明の吸収性物品は、上述した実施形態やその変形例等に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【０１４１】
１    尿取りパッド（吸収性物品）
２    主要部
２１    表面シート
２２    吸収体
２３    裏面シート
２４    サイドシート（一方側）
２５    サイドシート（他方側）
２６    防漏シート
２７    弾性部材
２８    防漏壁部
３    カバーシート
３１    強度保持部
３２    伸長領域
３２Ｌ    端部側伸長部（一方側）
３２Ｒ    端部側伸長部（他方側）
３２Ｃ    内方側伸長部
３２Ａ    凸条部
３２Ａ１    第１凸条部
３２Ａ２    第２凸条部
３２Ｂ    凹溝部
３３Ｌ    側方側非伸長領域（一方側）
３３Ｒ    側方側非伸長領域（他方側）
４    低摩擦部材
５    側方側接合部
５１    第１接合部
５２    第２接合部
６Ｌ    外方側接合部（一方側）
６Ｒ    外方側接合部（他方側）
７１    後方側第１接合部
７２    後方側第２接合部
８    吸収性シート
ＡＦ    前方領域
ＡＣ    中央領域
ＡＢ    後方領域
ＦＺ    ずれ力
【図１】
2019005294.tif 000003
【図２】
2019005294.tif 000004
【図３】
2019005294.tif 000005
【図４】
2019005294.tif 000006
【図５】
2019005294.tif 000007
【図６】
2019005294.tif 000008
【図７】
2019005294.tif 000009
【図８】
2019005294.tif 000010
【図９】
2019005294.tif 000011